(57)【特許請求の範囲】
【請求項１】
ウェーハボートを支持する上部と、その上部を支持する下部と、それらの上部と下部とを結合する結合部とを有し、上部が炭化珪素で作られており、下部が石英で作られており、結合部が、炭化珪素と石英の熱膨張係数の差を吸収する構成になっていることを特徴とする高温熱処理用ウェーハボート支え治具。
【請求項２】
結合部が凹部と凸部との組合せからなり、温度の変化によって凸部が凹部内で変位し、しかも、常温の状態のときと高温の熱処理状態のときに凸部が凹部の別の部分に接触する構成にしたことを特徴とする請求項１に記載の高温熱処理用ウェーハボート支え治具。
【請求項３】
上部の下端が、円筒管の形状になっており、下部の上端が、円筒管の形状になっており、結合部が、それらの円筒管形状の上部下端と下部上端との組合せからなることを特徴とする請求項１または２に記載の高温熱処理用ウェーハボート支え治具。
【請求項４】
下部の上端が二重の円筒管で形成されていて、それらの二重の円筒管の間に上部下端の円筒管が挿入されることにより、結合部が構成されており、常温の状態のとき、上部下端の円筒管が下部上端の内側の円筒管に接触し、高温の熱処理状態のとき、上部下端の円筒管が下部上端の外側の円筒管に接触する構成にしたことを特徴とする請求項１〜３のいずれか１項に記載の高温熱処理用ウェーハボート支え治具。
【請求項５】
結合部が、外側に石英の円筒管を有し、内側に炭化珪素の円筒管を有し、石英の円筒管の内径をＬ１ｉｎ、熱膨張率をｃｔｅ１、炭化珪素の円筒管の外径をＬ２ｏｕｔ、熱膨張率をｃｔｅ２、熱処理温度をＴとする場合に、次式
Ｌ１ｉｎ≧Ｌ２ｏｕｔ＋（ｃｔｅ２×Ｔ×Ｌ２ｏｕｔ）−（Ｌ２ｏｕｔ＋（ｃｔｅ２×Ｔ×Ｌ２ｏｕｔ））×Ｔ×ｃｔｅ１
を満足することを特徴とする請求項１に記載の高温熱処理用ウェーハボート支え治具。
【請求項６】
結合部が、内側に石英の円筒管を有し、外側に炭化珪素の円筒管を有し、石英の円筒管の外径をＬ１ｏｕｔ、炭化珪素の円筒管の内径をＬ２ｉｎとする場合に、Ｌ２ｉｎ≧Ｌ１ｉｎの条件を満足することを特徴とする請求項１又は５に記載の高温熱処理用ウェーハボート支え治具。
【発明の詳細な説明】
【０００１】
【発明の属する技術分野】
本発明は、半導体ウェーハの熱処理に使用するウェーハボートを支える治具に関する。
【０００２】
【従来の技術】
炭化珪素は、その熱伝導が良く、高温強度に優れている。
【０００３】
石英は、高純度であり、かつ、断熱性が高い。そのため、半導体ウェーハの熱処理用構造部材に石英が多用されている。
【０００４】
縦型ウェーハボートを支持する治具においては、石英が使用されている。
【０００５】
【発明が解決しようとする課題】
石英と炭化珪素は熱膨張率が異なるため、ウェーハボート支持治具（高純度で断熱効果が大きい石英が使用されている）と、ウェーハボート（炭化珪素が使用されている）とは、温度変化のとき、結合部分で摩擦が生じ、それにより発塵し、ウェーハの処理に悪影響を与える。
【０００６】
また、一般にウェーハに膜を形成する際に、処理ガスにより、治具にも膜が付着する。その膜の熱膨張率と石英の熱膨張率との差が大きいため、治具に付着した膜が剥離し、発塵する。
【０００７】
他に、治具全体が石英で作られている場合、熱容量が大きいため、炉内温度が下がりにくいといった問題が生じる。
【０００８】
本発明の目的は、断熱性を有し、熱膨張による発塵を解消できる高温熱処理用ウェーハボート支え治具を提供することである。
【０００９】
【課題を解決するための手段】
本発明の解決手段を示すと、次のとおりである。
【００１０】
（１）ウェーハボートを支持する上部と、その上部を支持する下部と、それらの上部と下部とを結合する結合部とを有し、上部が炭化珪素で作られており、下部が石英で作られており、結合部が、炭化珪素と石英の熱膨張係数の差を吸収する構成になっていることを特徴とする高温熱処理用ウェーハボート支え治具。
【００１１】
（２）結合部が凹部と凸部との組合せからなり、温度の変化によって凸部が凹部内で変位し、しかも、常温の状態のときと高温の熱処理状態のときに凸部が凹部の別の部分に接触する構成にしたことを特徴とする前述の高温熱処理用ウェーハボート支え治具。
【００１２】
（３）上部の下端が、円筒管の形状になっており、下部の上端が、円筒管の形状になっており、結合部が、それらの円筒管形状の上部下端と下部上端との組合せからなることを特徴とする前述の高温熱処理用ウェーハボート支え治具。
【００１３】
（４）下部の上端が二重の円筒管で形成されていて、それらの二重の円筒管の間に上部下端の円筒管が挿入されることにより、結合部が構成されており、常温の状態のとき、上部下端の円筒管が下部上端の内側の円筒管に接触し、高温の熱処理状態のとき、上部下端の円筒管が下部上端の外側の円筒管に接触する構成にしたことを特徴とする前述の高温熱処理用ウェーハボート支え治具。
【００１４】
（５）結合部が、外側に石英の円筒管を有し、内側に炭化珪素の円筒管を有し、石英の円筒管の内径をＬ１ｉｎ、熱膨張率をｃｔｅ１、炭化珪素の円筒管の外径をＬ２ｏｕｔ、熱膨張率をｃｔｅ２、熱処理温度をＴとする場合に、次式
Ｌ１ｉｎ≧Ｌ２ｏｕｔ＋（ｃｔｅ２×Ｔ×Ｌ２ｏｕｔ）−（Ｌ２ｏｕｔ＋（ｃｔｅ２×Ｔ×Ｌ２ｏｕｔ））×Ｔ×ｃｔｅ１
を満足することを特徴とする前述の高温熱処理用ウェーハボート支え治具。
【００１５】
（６）結合部が、内側に石英の円筒管を有し、外側に炭化珪素の円筒管を有し、石英の円筒管の外径をＬ１ｏｕｔ、炭化珪素の円筒管の内径をＬ２ｉｎとする場合に、Ｌ２ｉｎ≧Ｌ１ｉｎの条件を満足することを特徴とする前述の高温熱処理用ウェーハボート支え治具。
【００１６】
【発明の実施の形態】
本発明は、上部と、下部と、それらの結合部を有する高温熱処理用ウェーハボート支え治具に関する。材料は、炭化珪素と石英を組み合わせたものである。
【００１７】
好ましくは、高温熱処理用ウェーハボート支え治具は、上部が炭化珪素で形成されており、下部が石英で形成されている。
【００１８】
結合部は、熱膨張を吸収する構成になっている。例えば、凹部と凸部とを組合せて結合部を形成して、温度の変化に応じて凸部が凹部内を少しずつ移動するようにする。そして、常温のときと、高温の熱処理状態のときに、凸部と凹部の接触箇所を変える。このような構成の典型例が２重円管構造である。たとえば、石英で二重の円筒管を形成し、炭化珪素の一重の円筒管がそれらの間に配置される。
【００１９】
結合部は、２重円管構造に限定されない。例えば、上部の下端と下部の上端にそれぞれフランジを設けて、一方のフランジに放射方向に凹部としてスリットや長い孔を形成し、他方のフランジに凹部として突起を形成し、突起がスリットや長い孔に入った状態にして、結合部を構成することも可能である。
【００２０】
このように結合部が凹部と凸部との組合せからなり、温度の変化によって凸部が凹部内で変位し、しかも、常温の状態のときと高温の熱処理状態のときに、凸部が凹部の別の部分（たとえば、二重管の内側と外側、あるいは放射方向のスリットや長孔の外端と内端）に接触することが好ましい。
【００２１】
上部の下端と、下部の上端が、ともに、円筒管の形状になっており、結合部が、それらの円筒管形状の上部下端と下部上端との組合せからなることが好ましい。とくに、下部の上端が二重の円筒管で形成されていて、それらの二重の円筒管の間に上部下端の円筒管が挿入されることにより、結合部が構成されており、常温の状態のとき、上部下端の円筒管が下部上端の内側の円筒管に接触し、高温の熱処理状態のとき、上部下端の円筒管が下部上端の外側の円筒管に接触するようにする。
【００２２】
また、本発明の別の好ましい実施形態においては、石英と炭化珪素の円筒管をいずれも一重構造にして、結合部が、外側に石英の円筒管を有し、内側に炭化珪素の円筒管を有し、石英の円筒管の内径をＬ１ｉｎ、熱膨張率をｃｔｅ１、炭化珪素の円筒管の外径をＬ２ｏｕｔ、熱膨張率をｃｔｅ２、熱処理温度をＴとする場合に、次式
Ｌ１ｉｎ≧Ｌ２ｏｕｔ＋（ｃｔｅ２×Ｔ×Ｌ２ｏｕｔ）−（Ｌ２ｏｕｔ＋（ｃｔｅ２×Ｔ×Ｌ２ｏｕｔ））×Ｔ×ｃｔｅ１
を満足する。さらに好ましくは、結合部が、内側に石英の円筒管を有し、外側に炭化珪素の円筒管を有し、石英の円筒管の外径をＬ１ｏｕｔ、炭化珪素の円筒管の内径をＬ２ｉｎとする場合に、Ｌ２ｉｎ≧Ｌ１ｉｎの条件を満足する。
【００２３】
【実施例】
以下、図面を参照して、本発明の実施例を説明する。
【００２４】
図１は、本発明による高温熱処理用ウェーハボート支え治具の概略を示す。
【００２５】
高温熱処理用ウェーハボート支え治具は、炭化珪素製の上部１と、石英製の下部３と、それらの結合部２を有する。
【００２６】
上部１は、ウェーハボートを支持する。下部３は、その上部１を支持する。結合部２は、それらの上部１と下部３とを結合する。
【００２７】
上部１が炭化珪素で作られており、下部３が石英で作られている。
【００２８】
結合部２は、炭化珪素と石英の熱膨張係数の差を吸収する構成になっている。
【００２９】
図２〜３に示す実施例においては、上部１の下端が、一重の円筒管の形状になっており、下部３の上端が、二重の円筒管の形状になっており、結合部２が、それらの円筒管形状の上部１の下端と下部３の上端との組合せからなっている。すなわち、下部３の上端が二重の円筒管で形成されていて、それらの二重の円筒管の間に上部１の下端に位置する一重の円筒管が挿入されることにより、結合部が構成されている。
【００３０】
常温の状態のとき、上部１の下端の円筒管が下部３の上端の内側の円筒管に接触し、高温の熱処理状態のとき、上部１の下端の円筒管が下部３の上端の外側の円筒管に接触する。
【００３１】
図１〜３の実施例における結合部２の最適例について説明する。
【００３２】
外側に石英の円筒管３を有し、内側に炭化珪素の円筒管１を有し、石英の外側の円筒管３の内径をＬ１ｉｎ、熱膨張率をｃｔｅ１、炭化珪素の円筒管の外径をＬ２ｏｕｔ、熱膨張率をｃｔｅ２、熱処理温度をＴとする場合に、次式
Ｌ１ｉｎ≧Ｌ２ｏｕｔ＋（ｃｔｅ２×Ｔ×Ｌ２ｏｕｔ）−（Ｌ２ｏｕｔ＋（ｃｔｅ２×Ｔ×Ｌ２ｏｕｔ））×Ｔ×ｃｔｅ１
を満足する。さらに具体的にいえば、石英の外側の円筒管の外径をＬ１ｏｕｔ、炭化珪素の円筒管１の内径をＬ２ｉｎとする場合に、Ｌ２ｉｎ≧Ｌ１ｉｎの条件を満足する。
【００３３】
図１に示すように、上部１、下部３、それらの結合部２は、いずれも、パイプ状の支柱で形成し、熱膨張係数の大きい炭化珪素のパイプ部分を内側に、熱膨張係数の小さい石英のパイプ部分を外側に配置し、常温で図３の状態にし、高温の使用温度（ウェーハ処理温度）で図２の状態にする。炭化珪素の膨張により隙間がいずれの状態でも生じないようにして、使用中にガタツキをなくす。石英のパイプ部分が内側と外側に存在し、炭化珪素のパイプ部分が中間に存在する場合、常温で石英の外径と炭化珪素の内径が同じであるように予め設定しておけば、常温状態でも高温状態でもガタツキをなくせる。結合部に凹部凸部をうまく組み合わせた場合、常温と高温、使用温度のいずれでも、ガタツキが無く、非常に安定した治具となる。
【００３４】
シミュレーションによる伝熱解析では、従来の石英治具を全体的にすべて炭化珪素に置き換えた場合、底部で約６００℃温度の温度上昇が推測される。それゆえ、材質を単純に置き換えることはできない。しかし、従来治具の上部（たとえば全高の上端から２５％以下の部分を炭化珪素に置き換えた場合、下部とくに底部の温度はほぼ同じ結果が得られる。
【００３５】
実施例１
図１〜３に示す高温熱処理用ウェーハボート支え治具を製造した。材質は、上部１がすべて炭化珪素、下部３がすべて石英で構成されている。熱膨張を吸収するように、石英で２重の円筒管３を形成し、炭化珪素の円筒管１がその間に入れられる。石英の内筒管の外径は４２ｍｍ、外筒管の内径は４８．２ｍｍとした。炭化珪素の円筒管１の内径は４２ｍｍ、外径は４８ｍｍであった。このような寸法の場合、常温で炭化珪素の円筒管１は石英の内筒管により支えられ、１０００℃において石英の外径管により支えられる。
【００３６】
一方、伝熱は、全高約３４０ｍｍの支え治具においてシミュレーションによる解析の結果、従来の石英材質治具底部の温度は１５４℃、炭化珪素材質の場合、７１４℃となり、上端から２５％の長さまでを炭化珪素に変更した場合、１９５℃となり、十分な断熱効果があることが確認された。
【００３７】
なお、本発明は前述の実施例に限定されない。たとえば、二重の円筒管構造を上部下端に設け、下部上端を一重の円筒管としてもよい。その場合は、温度変化により接触部分が二重の内外の円筒管の逆の部分となる。
【００３８】
【発明の効果】
本発明によれば、炭化珪素製の上部によって炭化珪素製ウェーハボートを支持するので、ウェーハボートと、それに接触する上部の熱膨張係数を同じにでき、その結果、膨張差の摩擦によるパーティクル発生を低減できる。さらに、炉内に露出している上部の面が炭化珪素であるため、その上部の面に成膜が生じたとしても、剥離が生じにくく、それゆえ、パーティクルが発生しにくい。また、高温熱処理用ウェーハボート支え治具の上部が炭化珪素であるため、熱容量が小さくなり、炉の昇降温が速くできる。
【図面の簡単な説明】
【図１】本発明の好適な１つの実施例による高温熱処理用ウェーハボート支え治具を示す概略説明図。
【図２】図１に示されている高温熱処理用ウェーハボート支え治具における結合部の高温熱処理状態を示す概略説明図。
【図３】図１に示されている高温熱処理用ウェーハボート支え治具における結合部の常温状態を示す概略説明図。
【符号の説明】
１  炭化珪素製の上部
２  結合部
３  石英製の下部
【図１】
0003687849.tif 000002
【図２】
0003687849.tif 000003
【図３】
0003687849.tif 000004